(57)【要約】【課題】電力消費量または発電量に関するイベントについて、より利便性の高い表示を行う。【解決手段】表示処理装置は、電力消費量または発電量に関するイベントの依頼内容を示すイベント情報を取得する取得部と、前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部とを備え、前記表示処理部は、前記イベントに関する内容を付加情報として対応の前記図形に付加して表示可能であり、前記取得部は、前記画面に対する操作内容を示す操作情報をさらに取得し、前記表示処理部は、前記取得部によって所定内容の操作を示す前記操作情報が取得された場合、前記画面における期間の表示範囲および前記付加情報を変更する。【選択図】図１
2018057254.tif 000002
【特許請求の範囲】
【請求項１】
電力消費量または発電量に関するイベントの依頼内容を示すイベント情報を取得する取得部と、
前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部とを備え、
前記表示処理部は、前記イベントに関する内容を付加情報として対応の前記図形に付加して表示可能であり、
前記取得部は、前記画面に対する操作内容を示す操作情報をさらに取得し、
前記表示処理部は、前記取得部によって所定内容の操作を示す前記操作情報が取得された場合、前記画面における期間の表示範囲および前記付加情報を変更する、表示処理装置。
【請求項２】
前記表示処理部は、前記表示範囲の大きさに応じて前記付加情報の内容を変更する、請求項１に記載の表示処理装置。
【請求項３】
前記表示処理部は、前記表示範囲が小さいほど詳細な内容の前記付加情報を表示する、請求項２に記載の表示処理装置。
【請求項４】
前記表示処理部は、変更後の前記付加情報として、前記イベントにおける複数の期間と前記各期間に関する情報とを表示する、請求項１から請求項３のいずれか１項に記載の表示処理装置。
【請求項５】
前記各期間に関する情報は、前記各期間における依頼量である、請求項４に記載の表示処理装置。
【請求項６】
前記取得部は、前記図形に対する操作内容を示す操作情報をさらに取得し、
前記表示処理部は、前記取得部により取得された前記操作情報の示す前記操作内容に応じて前記図形の表示を変更し、
前記表示処理装置は、さらに、
前記取得部により取得された前記操作情報の示す前記操作内容に応じて前記イベントの依頼内容を変更する設定部と、
前記設定部により変更された前記イベントの依頼内容を対応の依頼先に通知する通知部とを備える、請求項１から請求項５のいずれか１項に記載の表示処理装置。
【請求項７】
前記設定部は、前記操作内容に応じて前記イベントの期間を変更する、請求項６に記載の表示処理装置。
【請求項８】
前記設定部は、前記取得部により取得された前記操作情報が前記図形の位置および長さの少なくともいずれか一方を変更する操作を示す場合、対応の前記イベントの期間を変更する、請求項７に記載の表示処理装置。
【請求項９】
前記設定部は、前記操作内容に応じて前記イベントの依頼量を変更する、請求項６に記載の表示処理装置。
【請求項１０】
前記表示処理部は、前記画面において前記イベントの依頼先を複数並べて表示可能であり、
前記表示処理部は、前記イベントの複数種類の属性の中から選択された前記属性についての前記イベントの内容に応じて対応の前記図形の表示態様を変更する、請求項１から請求項９のいずれか１項に記載の表示処理装置。
【請求項１１】
前記属性は、前記イベントに対応する、依頼量、依頼量の種類、依頼先の属するグループ、または取引の種類である、請求項１０に記載の表示処理装置。
【請求項１２】
電力消費量または発電量に関するイベントの依頼内容を示すイベント情報を取得する取得部と、
前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部とを備え、
前記取得部は、前記図形に対する操作内容を示す操作情報をさらに取得し、
前記表示処理部は、前記取得部により取得された前記操作情報の示す前記操作内容に応じて前記図形の表示を変更し、
前記表示処理装置は、さらに、
前記取得部により取得された前記操作情報の示す前記操作内容に応じて前記イベントの依頼内容を変更する設定部と、
前記設定部により変更された前記イベントの依頼内容を対応の依頼先に通知する通知部とを備える、表示処理装置。
【請求項１３】
電力消費量または発電量に関するイベントの依頼内容を示すイベント情報を取得する取得部と、
前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部とを備え、
前記表示処理部は、前記画面において前記イベントの依頼先を複数並べて表示可能であり、
前記表示処理部は、前記イベントの複数種類の属性の中から選択された前記属性についての前記イベントの内容に応じて対応の前記図形の表示態様を変更する、表示処理装置。
【請求項１４】
表示処理装置における表示処理方法であって、
電力消費量または発電量に関するイベントの依頼内容を示すイベント情報を取得するステップと、
取得した前記イベント情報に基づいて、前記イベントを示す図形であって画面における前記図形の位置が前記イベントの時期を示し、かつ前記図形の長さが前記イベントの期間の長さを示す図形、および、前記イベントに関する内容を示す付加情報を前記イベントの依頼先ごとに画面に表示するステップと、
前記画面に対する操作内容を示す操作情報を取得するステップと、
取得した前記操作情報が所定内容の操作を示す場合、前記画面における期間の表示範囲および前記付加情報を変更するステップとを含む、表示処理方法。
【請求項１５】
表示処理装置における表示処理方法であって、
電力消費量または発電量に関するイベントの依頼内容を示すイベント情報を取得するステップと、
取得した前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示するステップと、
前記図形に対する操作内容を示す操作情報を取得するステップと、
取得した前記操作情報の示す前記操作内容に応じて前記図形の表示を変更するステップと、
取得した前記操作情報の示す前記操作内容に応じて前記イベントの依頼内容を変更するステップと、
変更した前記イベントの依頼内容を対応の依頼先に通知するステップとを含む、表示処理方法。
【請求項１６】
表示処理装置における表示処理方法であって、
電力消費量または発電量に関するイベントの依頼内容を示すイベント情報を取得するステップと、
取得した前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示するステップと、
前記イベントの複数種類の属性の中から選択された前記属性についての前記イベントの内容に応じて対応の前記図形の表示態様を変更するステップとを含む、表示処理方法。
【請求項１７】
表示処理装置において用いられる表示処理プログラムであって、
コンピュータを、
電力消費量または発電量に関するイベントの依頼内容を示すイベント情報を取得する取得部と、
前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部、
として機能させるためのプログラムであり、
前記表示処理部は、前記イベントに関する内容を付加情報として対応の前記図形に付加して表示可能であり、
前記取得部は、前記画面に対する操作内容を示す操作情報をさらに取得し、
前記表示処理部は、前記取得部によって所定内容の操作を示す前記操作情報が取得された場合、前記画面における期間の表示範囲および前記付加情報を変更する、表示処理プログラム。
【請求項１８】
表示処理装置において用いられる表示処理プログラムであって、
コンピュータを、
電力消費量または発電量に関するイベントの依頼内容を示すイベント情報を取得する取得部と、
前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部、
として機能させるためのプログラムであり、
前記取得部は、前記図形に対する操作内容を示す操作情報をさらに取得し、
前記表示処理部は、前記取得部により取得された前記操作情報の示す前記操作内容に応じて前記図形の表示を変更し、
前記コンピュータを、さらに、
前記取得部により取得された前記操作情報の示す前記操作内容に応じて前記イベントの依頼内容を変更する設定部と、
前記設定部により変更された前記イベントの依頼内容を対応の依頼先に通知する通知部、
として機能させるための、表示処理プログラム。
【請求項１９】
表示処理装置において用いられる表示処理プログラムであって、
コンピュータを、
電力消費量または発電量に関するイベントの依頼内容を示すイベント情報を取得する取得部と、
前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部、
として機能させるためのプログラムであり、
前記表示処理部は、前記画面において前記イベントの依頼先を複数並べて表示可能であり、
前記表示処理部は、前記イベントの複数種類の属性の中から選択された前記属性についての前記イベントの内容に応じて対応の前記図形の表示態様を変更する、表示処理プログラム。
【発明の詳細な説明】
【技術分野】
【０００１】
本発明は、表示処理装置、表示処理方法および表示処理プログラムに関する。
【背景技術】
【０００２】
従来、電力消費または電力系統への電力供給の調整に関する技術が開発されている。たとえば、特開２０１５−１１６０３８号公報（特許文献１）には、以下のような電力消費管理装置が記載されている。すなわち、電力消費管理装置は、複数の電力需要施設における電力消費を管理する電力消費管理装置であって、１または複数の電力供給側から電力消費に関する電力管理情報を取得する管理情報取得部と、前記電力管理情報に基づいて、前記電力需要施設における電力消費に関する指示情報を前記電力需要施設に通知する指示処理を行う指示部と、前記指示情報を通知した前記電力需要施設における電力消費を監視する監視部とを備え、前記指示部は、前記電力管理情報および前記監視部の監視結果に基づいて、前記指示処理の内容を変更する。
【先行技術文献】
【特許文献】
【０００３】
【特許文献１】特開２０１５−１１６０３８号公報
【発明の概要】
【発明が解決しようとする課題】
【０００４】
このような電力消費等の調整に関する内容を端末装置等の画面に表示することにより、管理者等において調整の内容を視覚的に把握することが考えられ、より利便性の高い表示を行う技術が望まれる。
【０００５】
この発明は、上述の課題を解決するためになされたもので、その目的は、電力消費量または発電量に関するイベントについて、より利便性の高い表示を行うことのできる表示処理装置、表示処理方法および表示処理プログラムを提供することである。
【課題を解決するための手段】
【０００６】
（１）上記課題を解決するために、この発明のある局面に係わる表示処理装置は、電力消費量または発電量に関するイベントの依頼内容を示すイベント情報を取得する取得部と、前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部とを備え、前記表示処理部は、前記イベントに関する内容を付加情報として対応の前記図形に付加して表示可能であり、前記取得部は、前記画面に対する操作内容を示す操作情報をさらに取得し、前記表示処理部は、前記取得部によって所定内容の操作を示す前記操作情報が取得された場合、前記画面における期間の表示範囲および前記付加情報を変更する。
【０００７】
（１２）上記課題を解決するために、この発明の他の局面に係わる表示処理装置は、電力消費量または発電量に関するイベントの依頼内容を示すイベント情報を取得する取得部と、前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部とを備え、前記取得部は、前記図形に対する操作内容を示す操作情報をさらに取得し、前記表示処理部は、前記取得部により取得された前記操作情報の示す前記操作内容に応じて前記図形の表示を変更し、前記表示処理装置は、さらに、前記取得部により取得された前記操作情報の示す前記操作内容に応じて前記イベントの依頼内容を変更する設定部と、前記設定部により変更された前記イベントの依頼内容を対応の依頼先に通知する通知部とを備える。
【０００８】
（１３）上記課題を解決するために、この発明の他の局面に係わる表示処理装置は、電力消費量または発電量に関するイベントの依頼内容を示すイベント情報を取得する取得部と、前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部とを備え、前記表示処理部は、前記画面において前記イベントの依頼先を複数並べて表示可能であり、前記表示処理部は、前記イベントの複数種類の属性の中から選択された前記属性についての前記イベントの内容に応じて対応の前記図形の表示態様を変更する。
【０００９】
（１４）上記課題を解決するために、この発明のある局面に係わる表示処理方法は、表示処理装置における表示処理方法であって、電力消費量または発電量に関するイベントの依頼内容を示すイベント情報を取得するステップと、取得した前記イベント情報に基づいて、前記イベントを示す図形であって画面における前記図形の位置が前記イベントの時期を示し、かつ前記図形の長さが前記イベントの期間の長さを示す図形、および、前記イベントに関する内容を示す付加情報を前記イベントの依頼先ごとに画面に表示するステップと、前記画面に対する操作内容を示す操作情報を取得するステップと、取得した前記操作情報が所定内容の操作を示す場合、前記画面における期間の表示範囲および前記付加情報を変更するステップとを含む。
【００１０】
（１５）上記課題を解決するために、この発明の他の局面に係わる表示処理方法は、表示処理装置における表示処理方法であって、電力消費量または発電量に関するイベントの依頼内容を示すイベント情報を取得するステップと、取得した前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示するステップと、前記図形に対する操作内容を示す操作情報を取得するステップと、取得した前記操作情報の示す前記操作内容に応じて前記図形の表示を変更するステップと、取得した前記操作情報の示す前記操作内容に応じて前記イベントの依頼内容を変更するステップと、変更した前記イベントの依頼内容を対応の依頼先に通知するステップとを含む。
【００１１】
（１６）上記課題を解決するために、この発明の他の局面に係わる表示処理方法は、表示処理装置における表示処理方法であって、電力消費量または発電量に関するイベントの依頼内容を示すイベント情報を取得するステップと、取得した前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示するステップと、前記イベントの複数種類の属性の中から選択された前記属性についての前記イベントの内容に応じて対応の前記図形の表示態様を変更するステップとを含む。
【００１２】
（１７）上記課題を解決するために、この発明のある局面に係わる表示処理プログラムは、表示処理装置において用いられる表示処理プログラムであって、コンピュータを、電力消費量または発電量に関するイベントの依頼内容を示すイベント情報を取得する取得部と、前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部、として機能させるためのプログラムであり、前記表示処理部は、前記イベントに関する内容を付加情報として対応の前記図形に付加して表示可能であり、前記取得部は、前記画面に対する操作内容を示す操作情報をさらに取得し、前記表示処理部は、前記取得部によって所定内容の操作を示す前記操作情報が取得された場合、前記画面における期間の表示範囲および前記付加情報を変更する。
【００１３】
（１８）上記課題を解決するために、この発明の他の局面に係わる表示処理プログラムは、表示処理装置において用いられる表示処理プログラムであって、コンピュータを、電力消費量または発電量に関するイベントの依頼内容を示すイベント情報を取得する取得部と、前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部、として機能させるためのプログラムであり、前記取得部は、前記図形に対する操作内容を示す操作情報をさらに取得し、前記表示処理部は、前記取得部により取得された前記操作情報の示す前記操作内容に応じて前記図形の表示を変更し、前記コンピュータを、さらに、前記取得部により取得された前記操作情報の示す前記操作内容に応じて前記イベントの依頼内容を変更する設定部と、前記設定部により変更された前記イベントの依頼内容を対応の依頼先に通知する通知部、として機能させるためのプログラムである。
【００１４】
（１９）上記課題を解決するために、この発明の他の局面に係わる表示処理プログラムは、表示処理装置において用いられる表示処理プログラムであって、コンピュータを、電力消費量または発電量に関するイベントの依頼内容を示すイベント情報を取得する取得部と、前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部、として機能させるためのプログラムであり、前記表示処理部は、前記画面において前記イベントの依頼先を複数並べて表示可能であり、前記表示処理部は、前記イベントの複数種類の属性の中から選択された前記属性についての前記イベントの内容に応じて対応の前記図形の表示態様を変更するプログラムである。
【００１５】
本発明は、表示処理装置の一部または全部を実現する半導体集積回路として実現したり、表示処理装置を含むシステムとして実現したりすることができる。
【発明の効果】
【００１６】
本発明によれば、電力消費量または発電量に関するイベントについて、より利便性の高い表示を行うことができる。
【図面の簡単な説明】
【００１７】
【図１】図１は、本発明の第１の実施の形態に係る電力管理システムの構成を示す図である。
【図２】図２は、本発明の第１の実施の形態に係る電力管理装置における表示処理部により表示される画面の例１を示す図である。
【図３】図３は、本発明の第１の実施の形態に係る電力管理装置における表示処理部により表示される画面の例２を示す図である。
【図４】図４は、本発明の第１の実施の形態に係る電力管理装置における表示処理部により表示される画面の例３を示す図である。
【図５】図５は、本発明の第１の実施の形態に係る電力管理装置による動作手順を定めたフローチャートである。
【図６】図６は、本発明の第２の実施の形態に係る電力管理装置における表示処理部により表示される画面の例１Ａを示す図である。
【図７】図７は、本発明の第２の実施の形態に係る電力管理装置における表示処理部により表示される画面の例１Ｂを示す図である。
【図８】図８は、本発明の第２の実施の形態に係る電力管理装置における表示処理部により表示される画面の例２を示す図である。
【図９】図９は、本発明の第２の実施の形態に係る電力管理装置における表示処理部により表示される画面の例３を示す図である。
【図１０】図１０は、本発明の第２の実施の形態に係る電力管理装置による動作手順を定めたフローチャートである。
【図１１】図１１は、本発明の第３の実施の形態に係る電力管理装置における表示処理部により表示される画面の例１を示す図である。
【図１２】図１２は、本発明の第３の実施の形態に係る電力管理装置における表示処理部により表示される画面の例２を示す図である。
【図１３】図１３は、本発明の第３の実施の形態に係る電力管理装置による動作手順を定めたフローチャートである。
【図１４】図１４は、本発明の第１〜第３の実施の形態に係る電力管理システムの変形例の構成を示す図である。
【発明を実施するための形態】
【００１８】
最初に、本発明の実施形態の内容を列記して説明する。
【００１９】
（１）本発明の実施の形態に係る表示処理装置は、電力消費量または発電量に関するイベントの依頼内容を示すイベント情報を取得する取得部と、前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部とを備え、前記表示処理部は、前記イベントに関する内容を付加情報として対応の前記図形に付加して表示可能であり、前記取得部は、前記画面に対する操作内容を示す操作情報をさらに取得し、前記表示処理部は、前記取得部によって所定内容の操作を示す前記操作情報が取得された場合、前記画面における期間の表示範囲および前記付加情報を変更する。
【００２０】
このような構成により、画面に表示された図形を確認することで、イベントの時期、イベントの期間の長さ、およびイベントの依頼先を視覚的に把握することができる。また、画面に表示された付加情報を確認することで、たとえばイベントに関するより詳細な内容を視覚的に把握することができる。
【００２１】
また、画面に対する所定内容の操作を行うことで、たとえば、所望の期間におけるイベントの詳細な内容を確認することができる。したがって、視認性を向上させるなど、電力消費量または発電量に関するイベントについて、より利便性の高い表示を行うことができる。
【００２２】
（２）好ましくは、前記表示処理部は、前記表示範囲の大きさに応じて前記付加情報の内容を変更する。
【００２３】
このような構成により、表示範囲の大きさに適した内容の付加情報を提示することができる。
【００２４】
（３）より好ましくは、前記表示処理部は、前記表示範囲が小さいほど詳細な内容の前記付加情報を表示する。
【００２５】
このような構成により、たとえば、表示する期間の範囲を大きくして複数のイベントの概要を把握したり、表示する期間の範囲を小さくして特定のイベントの詳細を把握したりすることができる。
【００２６】
（４）より好ましくは、前記表示処理部は、変更後の前記付加情報として、前記イベントにおける複数の期間と前記各期間に関する情報とを表示する。
【００２７】
このような構成により、イベントに含まれる期間ごとの付加情報を把握することができる。
【００２８】
（５）より好ましくは、前記各期間に関する情報は、前記各期間における依頼量である。
【００２９】
このような構成により、たとえば、細かく分けられた期間ごとの依頼量を把握することができる。
【００３０】
（６）より好ましくは、前記取得部は、前記図形に対する操作内容を示す操作情報をさらに取得し、前記表示処理部は、前記取得部により取得された前記操作情報の示す前記操作内容に応じて前記図形の表示を変更し、前記表示処理装置は、さらに、前記取得部により取得された前記操作情報の示す前記操作内容に応じて前記イベントの依頼内容を変更する設定部と、前記設定部により変更された前記イベントの依頼内容を対応の依頼先に通知する通知部とを備える。
【００３１】
このような構成により、図形に対する操作を行うことで、イベントの依頼内容を変更することができるため、操作性を向上させることができる。また、変更後のイベントの依頼内容に応じた図形が表示されるため、変更後の依頼内容を視覚的に把握することができる。
【００３２】
（７）より好ましくは、前記設定部は、前記操作内容に応じて前記イベントの期間を変更する。
【００３３】
このような構成により、図形に対する操作を行うことでイベント期間を容易に変更することができる。
【００３４】
（８）より好ましくは、前記設定部は、前記取得部により取得された前記操作情報が前記図形の位置および長さの少なくともいずれか一方を変更する操作を示す場合、対応の前記イベントの期間を変更する。
【００３５】
このような構成により、簡易かつ直感的な操作によりイベント期間を変更することができる。
【００３６】
（９）より好ましくは、前記設定部は、前記操作内容に応じて前記イベントの依頼量を変更する。
【００３７】
このような構成により、図形に対する操作を行うことでイベントの依頼量を容易に変更することができる。
【００３８】
（１０）より好ましくは、前記表示処理部は、前記画面において前記イベントの依頼先を複数並べて表示可能であり、前記表示処理部は、前記イベントの複数種類の属性の中から選択された前記属性についての前記イベントの内容に応じて対応の前記図形の表示態様を変更する。
【００３９】
このような構成により、複数の図形を所望の種類の属性の内容に応じて分類することができるため、各イベントの属性についての特徴を容易に把握することができる。
【００４０】
（１１）より好ましくは、前記属性は、前記イベントに対応する、依頼量、依頼量の種類、依頼先の属するグループ、または取引の種類である。
【００４１】
このような構成により、図形の表示態様を確認することで、イベントごとの依頼量、依頼量の種類、依頼先の属するグループ、または取引の種類を把握することができる。
【００４２】
（１２）本発明の実施の形態に係る表示処理装置は、電力消費量または発電量に関するイベントの依頼内容を示すイベント情報を取得する取得部と、前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部とを備え、前記取得部は、前記図形に対する操作内容を示す操作情報をさらに取得し、前記表示処理部は、前記取得部により取得された前記操作情報の示す前記操作内容に応じて前記図形の表示を変更し、前記表示処理装置は、さらに、前記取得部により取得された前記操作情報の示す前記操作内容に応じて前記イベントの依頼内容を変更する設定部と、前記設定部により変更された前記イベントの依頼内容を対応の依頼先に通知する通知部とを備える。
【００４３】
このような構成により、画面に表示された図形を確認することで、イベントの時期、イベントの期間の長さ、およびイベントの依頼先を視覚的に把握することができる。また、画面に表示された付加情報を確認することで、たとえばイベントに関するより詳細な内容を視覚的に把握することができる。
【００４４】
また、図形に対する操作を行うことで、イベントの依頼内容を変更することができるため、操作性の向上を図ることができる。また、変更後のイベントの依頼内容に応じた図形が表示されるため、変更後の依頼内容を視覚的に把握することができる。したがって、視認性および操作性を向上させるなど、電力消費量または発電量に関するイベントについて、より利便性の高い表示を行うことができる。
【００４５】
（１３）本発明の実施の形態に係る表示処理装置は、電力消費量または発電量に関するイベントの依頼内容を示すイベント情報を取得する取得部と、前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部とを備え、前記表示処理部は、前記画面において前記イベントの依頼先を複数並べて表示可能であり、前記表示処理部は、前記イベントの複数種類の属性の中から選択された前記属性についての前記イベントの内容に応じて対応の前記図形の表示態様を変更する。
【００４６】
このような構成により、画面に表示された図形を確認することで、イベントの時期、イベントの期間の長さ、およびイベントの依頼先を視覚的に把握することができる。また、画面に表示された付加情報を確認することで、たとえばイベントに関するより詳細な内容を視覚的に把握することができる。
【００４７】
また、複数の図形を所望の種類の属性の内容に応じて分類することができるため、たとえば、これらの図形にそれぞれ対応するイベントの当該属性の内容が互いに異なる内容であることを容易に把握することができる。したがって、視認性を向上させるなど、電力消費量または発電量に関するイベントについて、より利便性の高い表示を行うことができる。
【００４８】
（１４）本発明の実施の形態に係る表示処理方法は、表示処理装置における表示処理方法であって、電力消費量または発電量に関するイベントの依頼内容を示すイベント情報を取得するステップと、取得した前記イベント情報に基づいて、前記イベントを示す図形であって画面における前記図形の位置が前記イベントの時期を示し、かつ前記図形の長さが前記イベントの期間の長さを示す図形、および、前記イベントに関する内容を示す付加情報を前記イベントの依頼先ごとに画面に表示するステップと、前記画面に対する操作内容を示す操作情報を取得するステップと、取得した前記操作情報が所定内容の操作を示す場合、前記画面における期間の表示範囲および前記付加情報を変更するステップとを含む。
【００４９】
このような方法により、画面に表示された図形を確認することで、イベントの時期、イベントの期間の長さ、およびイベントの依頼先を視覚的に把握することができる。また、画面に表示された付加情報を確認することで、たとえばイベントに関するより詳細な内容を視覚的に把握することができる。
【００５０】
また、画面に対する所定内容の操作を行うことで、たとえば、所望の期間におけるイベントの詳細な内容を確認することができる。したがって、視認性を向上させるなど、電力消費量または発電量に関するイベントについて、より利便性の高い表示を行うことができる。
【００５１】
（１５）本発明の実施の形態に係る表示処理方法は、表示処理装置における表示処理方法であって、電力消費量または発電量に関するイベントの依頼内容を示すイベント情報を取得するステップと、取得した前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示するステップと、前記図形に対する操作内容を示す操作情報を取得するステップと、取得した前記操作情報の示す前記操作内容に応じて前記図形の表示を変更するステップと、取得した前記操作情報の示す前記操作内容に応じて前記イベントの依頼内容を変更するステップと、変更した前記イベントの依頼内容を対応の依頼先に通知するステップとを含む。
【００５２】
このような方法により、画面に表示された図形を確認することで、イベントの時期、イベントの期間の長さ、およびイベントの依頼先を視覚的に把握することができる。また、画面に表示された付加情報を確認することで、たとえばイベントに関するより詳細な内容を視覚的に把握することができる。
【００５３】
また、図形に対する操作を行うことで、イベントの依頼内容を変更することができるため、操作性の向上を図ることができる。また、変更後のイベントの依頼内容に応じた図形が表示されるため、変更後の依頼内容を視覚的に把握することができる。したがって、視認性および操作性を向上させるなど、電力消費量または発電量に関するイベントについて、より利便性の高い表示を行うことができる。
【００５４】
（１６）本発明の実施の形態に係る表示処理方法は、表示処理装置における表示処理方法であって、電力消費量または発電量に関するイベントの依頼内容を示すイベント情報を取得するステップと、取得した前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示するステップと、前記イベントの複数種類の属性の中から選択された前記属性についての前記イベントの内容に応じて対応の前記図形の表示態様を変更するステップとを含む。
【００５５】
このような方法により、画面に表示された図形を確認することで、イベントの時期、イベントの期間の長さ、およびイベントの依頼先を視覚的に把握することができる。また、画面に表示された付加情報を確認することで、たとえばイベントに関するより詳細な内容を視覚的に把握することができる。
【００５６】
また、複数の図形を所望の種類の属性の内容に応じて分類することができるため、たとえば、これらの図形にそれぞれ対応するイベントの当該属性の内容が互いに異なる内容であることを容易に把握することができる。したがって、視認性を向上させるなど、電力消費量または発電量に関するイベントについて、より利便性の高い表示を行うことができる。
【００５７】
（１７）本発明の実施の形態に係る表示処理プログラムは、表示処理装置において用いられる表示処理プログラムであって、コンピュータを、電力消費量または発電量に関するイベントの依頼内容を示すイベント情報を取得する取得部と、前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部、として機能させるためのプログラムであり、前記表示処理部は、前記イベントに関する内容を付加情報として対応の前記図形に付加して表示可能であり、前記取得部は、前記画面に対する操作内容を示す操作情報をさらに取得し、前記表示処理部は、前記取得部によって所定内容の操作を示す前記操作情報が取得された場合、前記画面における期間の表示範囲および前記付加情報を変更するプログラムである。
【００５８】
このような構成により、画面に表示された図形を確認することで、イベントの時期、イベントの期間の長さ、およびイベントの依頼先を視覚的に把握することができる。また、画面に表示された付加情報を確認することで、たとえばイベントに関するより詳細な内容を視覚的に把握することができる。
【００５９】
また、画面に対する所定内容の操作を行うことで、たとえば、所望の期間におけるイベントの詳細な内容を確認することができる。したがって、視認性を向上させるなど、電力消費量または発電量に関するイベントについて、より利便性の高い表示を行うことができる。
【００６０】
（１８）本発明の実施の形態に係る表示処理プログラムは、表示処理装置において用いられる表示処理プログラムであって、コンピュータを、電力消費量または発電量に関するイベントの依頼内容を示すイベント情報を取得する取得部と、前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部、として機能させるためのプログラムであり、前記取得部は、前記図形に対する操作内容を示す操作情報をさらに取得し、前記表示処理部は、前記取得部により取得された前記操作情報の示す前記操作内容に応じて前記図形の表示を変更し、前記コンピュータを、さらに、前記取得部により取得された前記操作情報の示す前記操作内容に応じて前記イベントの依頼内容を変更する設定部と、前記設定部により変更された前記イベントの依頼内容を対応の依頼先に通知する通知部、として機能させるためのプログラムである。
【００６１】
このような構成により、画面に表示された図形を確認することで、イベントの時期、イベントの期間の長さ、およびイベントの依頼先を視覚的に把握することができる。また、画面に表示された付加情報を確認することで、たとえばイベントに関するより詳細な内容を視覚的に把握することができる。
【００６２】
また、図形に対する操作を行うことで、イベントの依頼内容を変更することができるため、操作性の向上を図ることができる。また、変更後のイベントの依頼内容に応じた図形が表示されるため、変更後の依頼内容を視覚的に把握することができる。したがって、視認性および操作性を向上させるなど、電力消費量または発電量に関するイベントについて、より利便性の高い表示を行うことができる。
【００６３】
（１９）本発明の実施の形態に係る表示処理プログラムは、表示処理装置において用いられる表示処理プログラムであって、コンピュータを、電力消費量または発電量に関するイベントの依頼内容を示すイベント情報を取得する取得部と、前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部、として機能させるためのプログラムであり、前記表示処理部は、前記画面において前記イベントの依頼先を複数並べて表示可能であり、前記表示処理部は、前記イベントの複数種類の属性の中から選択された前記属性についての前記イベントの内容に応じて対応の前記図形の表示態様を変更するプログラムである。
【００６４】
このような構成により、画面に表示された図形を確認することで、イベントの時期、イベントの期間の長さ、およびイベントの依頼先を視覚的に把握することができる。また、画面に表示された付加情報を確認することで、たとえばイベントに関するより詳細な内容を視覚的に把握することができる。
【００６５】
また、複数の図形を所望の種類の属性の内容に応じて分類することができるため、たとえば、これらの図形にそれぞれ対応するイベントの当該属性の内容が互いに異なる内容であることを容易に把握することができる。したがって、視認性を向上させるなど、電力消費量または発電量に関するイベントについて、より利便性の高い表示を行うことができる。
【００６６】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００６７】
＜第１の実施の形態＞
［構成および基本動作］
［電力管理システム］
図１は、本発明の第１の実施の形態に係る電力管理システムの構成を示す図である。
【００６８】
図１を参照して、電力管理システム２０１は、電力管理装置（表示処理装置）１０１と、施設側装置１０２と、表示装置１５１とを備える。
【００６９】
施設側装置１０２は、発電施設、または工場、オフィスもしくは一般家庭などの電力需要施設におけるエネルギーリソースである。具体的には、施設側装置１０２は、太陽光発電装置もしくは風力発電装置などの発電装置、蓄電池、または、空調機などの負荷装置である。
【００７０】
電力管理装置１０１は、アグリゲータ等の配信事業者によって運用され、１または複数の施設側装置１０２と通信を行なうことにより、施設側装置１０２による発電量、電力消費量または蓄電量を管理する。
【００７１】
表示装置１５１は、たとえばタッチパネル式による情報の入力の受け付け、および画面の表示を行う装置であり、液晶モニタなどの表示部２１と、情報の入力を受け付ける処理部２２とを備える。
【００７２】
より詳細には、たとえば管理者の操作により処理部２２に発電量、電力消費量または蓄電量の調整に関するイベントの依頼内容が入力されると、処理部２２は、当該依頼内容を示すイベント情報を電力管理装置１０１へ送信する。
【００７３】
イベントの依頼内容は、たとえば、イベントの依頼先の識別情報、イベントが行われる日にち（以下、「イベント日」と称する。）、イベントが行われる期間（以下、「イベント期間」と称する。）の開始時刻および長さ、施設側装置１０２の発電容量、通常時の電力消費量または蓄電容量（以下、「基準量」と称する。）を基準とした調整レベル、イベントの対象エリア、ならびにイベントの通知日時を含む。
【００７４】
電力管理装置１０１は、表示装置１５１からイベント情報を受信すると、たとえば、受信したイベント情報の示すイベント日の前日に、当該イベント情報を依頼先の施設側装置１０２へ通信網１０３経由で送信する。
【００７５】
なお、依頼内容がイベントの通知日時を含む場合、電力管理装置１０１は、当該通知日時に、イベント情報を依頼先の施設側装置１０２へ通信網１０３経由で送信する。
【００７６】
施設側装置１０２は、電力管理装置１０１からイベント情報を受信すると、受信したイベント情報の示す依頼内容に従って動作することにより、自己の発電量、電力消費量または蓄電量を調整する。
【００７７】
［電力管理装置］
電力管理装置１０１は、取得部１１と、表示処理部１２と、情報処理部（設定部）１３と、記憶部１４と、送信部（通知部）１５と、受信部１６とを備える。
【００７８】
取得部１１は、表示装置１５１からイベント情報を受信し、受信したイベント情報を記憶部１４に保存する。
【００７９】
表示処理部１２は、たとえば、記憶部１４に保存されている情報を定期的に確認し、記憶部１４に新たなイベント情報が保存されたことを確認すると、記憶部１４から当該イベント情報を読み出す。そして、表示処理部１２は、読み出したイベント情報に基づいて、たとえば、イベントのタイムスケジュール表を表示部２１に表示する。タイムスケジュール表における期間の表示範囲は、たとえば、イベント情報の示すイベント期間を含む。
【００８０】
また、表示処理部１２は、記憶部１４から読み出したイベント情報に基づいて、たとえば、イベントの依頼先を複数並べて、依頼先ごとのイベントを示す図形をタイムスケジュール表とともに表示部２１に表示する。このとき、表示処理部１２は、表示部２１の画面における図形の位置がイベントの時期を示し、かつ図形の長さがイベント期間を示すように図形を表示する。
【００８１】
また、表示処理部１２は、記憶部１４から読み出したイベント情報に基づいて、イベントに関する内容を付加情報として対応する図形に付加して表示部２１に表示する。
【００８２】
また、管理者が表示装置１５１を操作して、表示処理部１２により表示された画面に対する操作を行ったとする。この場合、表示装置１５１における処理部２２は、当該操作の内容を示す操作情報を電力管理装置１０１へ送信する。
【００８３】
電力管理装置１０１における取得部１１は、たとえば表示装置１５１から操作情報を受信し、受信した操作情報を記憶部１４に保存する。
【００８４】
表示処理部１２は、たとえば、記憶部１４に新たな操作情報が保存されたことを確認すると、記憶部１４から当該操作情報を読み出す。そして、表示処理部１２は、読み出した操作情報が所定内容の操作を示すか否かを確認し、当該操作情報が所定内容の操作を示す場合、たとえばタイムスケジュール表の期間の表示範囲を変更する。
【００８５】
また、表示処理部１２は、期間の表示範囲の大きさに応じて付加情報の内容を変更する。たとえば、表示処理部１２は、期間の表示範囲が小さいほど詳細な内容の付加情報を表示部２１に表示する。
【００８６】
情報処理部１３は、たとえば、記憶部１４に保存されているイベント情報を定期的に確認し、イベント情報の示すイベント日の前日に当該イベント情報を記憶部１４から読み出して送信部１５へ出力する。
【００８７】
送信部１５は、情報処理部１３からイベント情報を受けると、当該イベント情報の示す依頼先の施設側装置１０２へ当該イベント情報を通信網１０３経由で送信することにより、イベントの依頼内容を依頼先へ通知する。
【００８８】
施設側装置１０２は、電力管理装置１０１からイベント情報を受信すると、受信したイベント情報に対する応答情報を通信網１０３経由で電力管理装置１０１へ送信する。
【００８９】
電力管理装置１０１における受信部１６は、施設側装置１０２から応答情報を受信すると、受信した応答情報を情報処理部１３へ出力する。
【００９０】
情報処理部１３は、受信部１６から応答情報を受けると、当該応答情報を記憶部１４に保存する。
【００９１】
（具体例）
図２は、本発明の第１の実施の形態に係る電力管理装置における表示処理部により表示される画面の例１を示す図である。
【００９２】
図２を参照して、依頼先が「Ｇ大学」であり、イベント期間が４月１４日の「１５：３０〜１７：００」であるイベントＥｖ１の依頼内容を、管理者が表示装置１５１における処理部２２へ入力したとする。
【００９３】
処理部２２は、当該依頼内容を示すイベント情報を電力管理装置１０１へ送信する。
【００９４】
電力管理装置１０１における表示処理部１２は、当該イベント情報を取得部１１および記憶部１４経由で受信すると、たとえば、４月１４日の午前から４月１５日の午前までの期間を表示範囲とするタイムスケジュール表を表示部２１に表示する。
【００９５】
また、表示処理部１２は、たとえば、タイムスケジュール表における４月１４日の午後に対応し、かつ「Ｇ大学」に対応する位置に、イベントＥｖ１を示す図形としてイベントバーＥｖｂ１を表示する。
【００９６】
また、表示処理部１２は、たとえば、イベントバーＥｖｂ１の内部に、付加情報としてイベントＥｖ１の名称の一部である「Ｅｖｅｎｔ＿２０１６０４１４」を表示する。
【００９７】
このような状態において、管理者が画面に対する所定内容の操作を行ったとする。ここでは、管理者が、所定内容の操作として、画面におけるイベントバーＥｖｂ１を選択する操作を行ったとする。
【００９８】
この場合、表示処理部１２は、当該操作の内容を示す操作情報を取得部１１および記憶部１４経由で表示装置１５１から受信する。そして、表示処理部１２は、受信した操作情報が所定内容の操作を示すことを確認すると、タイムスケジュール表における期間の表示範囲および付加情報を変更する。
【００９９】
なお、画面に対する所定内容の操作は、画面における図形を選択する操作に限らず、図形以外の他の部分を選択する操作などであってもよい。
【０１００】
図３は、本発明の第１の実施の形態に係る電力管理装置における表示処理部により表示される画面の例２を示す図である。
【０１０１】
表示処理部１２は、受信した操作情報が所定内容の操作を示すことを確認すると、たとえば、図２に示すタイムスケジュール表の期間の表示範囲を小さくする。具体的には、表示処理部１２は、図３に示すように、４月１４日の「１４：００」から「２０：００」までの期間を表示範囲とするタイムスケジュール表を表示部２１に表示する。
【０１０２】
また、表示処理部１２は、タイムスケジュール表の「１５：３０〜１７：００」に対応し、かつ「Ｇ大学」に対応する位置にイベントバーＥｖｂ１を表示する。
【０１０３】
また、表示処理部１２は、イベントバーＥｖｂ１の内部に新たな付加情報を付加して表示する。
【０１０４】
具体的には、表示処理部１２は、イベントＥｖ１の名称「Ｅｖｅｎｔ＿２０１６０４１４１６４２３１＿０」、イベントの開始時刻「１５：３０」、イベントの終了時刻「１７：００」、イベント期間の長さが１時間３０分であることを示す文字、事前に通知されたイベントであることを示す文字、およびイベントの対象エリアが「エリア２」であることを示す文字を付加情報として表示する。
【０１０５】
なお、表示処理部１２は、付加情報の一部または全部を、イベントバーＥｖｂ１の外部に表示してもよい。
【０１０６】
このような状態において、管理者が画面に対する所定内容の操作として、たとえば、表示範囲が変更された画面におけるイベントバーＥｖｂ１を選択する操作を行ったとする。
【０１０７】
この場合、表示処理部１２は、当該操作の内容を示す操作情報を取得部１１および記憶部１４経由で表示装置１５１から受信する。そして、表示処理部１２は、受信した操作情報が所定内容の操作を示すことを確認すると、タイムスケジュール表における期間の表示範囲および付加情報をさらに変更する。
【０１０８】
図４は、本発明の第１の実施の形態に係る電力管理装置における表示処理部により表示される画面の例３を示す図である。
【０１０９】
表示処理部１２は、受信した操作情報が所定内容の操作を示すことを確認すると、たとえば、図３に示すタイムスケジュール表の期間の表示範囲を小さくする。具体的には、表示処理部１２は、図４に示すように、４月１４日の「１５：１０」から「１７：１０」までの期間のタイムスケジュール表を表示部２１に表示する。
【０１１０】
また、表示処理部１２は、イベントバーＥｖｂ１に新たな付加情報を付加して表示する。たとえば、表示処理部１２は、イベントＥｖ１における複数の期間と各期間に関する情報とをイベントバーＥｖｂ１に付加して表示する。各期間に関する情報は、たとえば、各期間の開始時刻および終了時刻、各期間の長さ、ならびに各期間における依頼量のうちの少なくともいずれか１つを含む。
【０１１１】
具体的には、表示処理部１２は、イベントバーＥｖｂ１を「期間１」の領域と「期間２」の領域とに区分けする。そして、表示処理部１２は、たとえば、「１５：３０〜１６：３０」の１時間に電力消費量を３００ｋＷ削減することが指示されていることを示す文字を「期間１」の領域に表示し、「１６：３０〜１７：００」の３０分間に電力消費量を４００ｋＷ削減することが指示されていることを示す文字を「期間２」の領域に表示する。
【０１１２】
［動作］
次に、本発明の第１の実施の形態に係る電力管理装置１０１の動作について説明する。
【０１１３】
電力管理システム２０１における各装置は、コンピュータを備え、当該コンピュータにおけるＣＰＵ等の演算処理部は、以下のフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１１４】
図５は、本発明の第１の実施の形態に係る電力管理装置による動作手順を定めたフローチャートである。
【０１１５】
図５を参照して、まず、電力管理装置１０１は、たとえば表示装置１５１からイベント情報を受信する（ステップＳ１１）。
【０１１６】
次に、電力管理装置１０１は、たとえば、受信したイベント情報に基づいて、イベントのタイムスケジュール表を表示部２１に表示し、さらに、イベントを示す図形およびイベントに関する付加情報をタイムスケジュール表とともに表示部２１に表示する（ステップＳ１２）。
【０１１７】
次に、電力管理装置１０１は、画面に対する操作を示す操作情報を受信すると（ステップＳ１３）、当該操作情報が所定内容の操作を示すか否かを確認する（ステップＳ１４）。
【０１１８】
そして、電力管理装置１０１は、当該操作情報が所定内容の操作を示す場合（ステップＳ１４において「ＹＥＳ」）、たとえば、タイムスケジュール表における期間の表示範囲および付加情報を変更する（ステップＳ１５）。一方、電力管理装置１０１は、当該操作情報が所定内容の操作を示さない場合（ステップＳ１４において「ＮＯ」）、表示の変更は行わない。
【０１１９】
そして、電力管理装置１０１は、画面に対する操作を示す操作情報を新たに受信した場合（ステップＳ１３）、当該操作情報が所定内容の操作を示すか否かを確認して（ステップＳ１４）、当該操作情報が所定内容の操作を示す場合、タイムスケジュール表における期間の表示範囲および付加情報をさらに変更する（ステップＳ１５）。
【０１２０】
上述した本発明の第１の実施の形態に係る電力管理装置１０１は、表示装置１５１からイベント情報を受信し、受信したイベント情報に基づいて、イベントを示す図形を表示部２１に表示する。
【０１２１】
しかしながら、このような構成に限定されず、たとえば、電力管理装置１０１が表示部２１および処理部２２を備える構成であってもよい。すなわち、表示処理部１２は、電力管理装置１０１における処理部２２に入力されたイベントの依頼内容を示すイベント情報に基づいて、電力管理装置１０１における表示部２１にイベントを示す図形を表示する構成であってもよい。
【０１２２】
また、電力管理装置１０１が表示部２１および処理部２２の少なくともいずれか一方を備える構成であってもよい。
【０１２３】
また、電力管理システム２０１は、表示装置１５１の代わりに、モニタなどを有する端末装置であって、電力管理装置１０１との間で無線通信による情報の送受信を行う端末装置を備えてもよい。
【０１２４】
具体的には、端末装置は、イベントの依頼内容が入力されると、当該依頼内容を示すイベント情報を、たとえば無線通信により電力管理装置１０１へ送信する。そして、電力管理装置１０１における表示処理部１２は、取得部１１および記憶部１４経由で端末装置から受信したイベント情報に基づいて、イベントに関する図形を示す図形情報を、たとえば無線通信により端末装置へ送信する。そして、端末装置は、電力管理装置１０１から図形情報を受信すると、受信した図形情報の示す図形を、たとえば自己のモニタに表示する。
【０１２５】
また、取得部１１および表示処理部１２が、表示処理装置の一部または全部として、電力管理装置１０１とは別個に設けられてもよい。
【０１２６】
また、取得部１１および表示処理部１２が、表示装置１５１に設けられてもよい。この場合、電力管理装置１０１は、取得部１１および表示処理部１２の代わりに、たとえば、表示装置１５１との間で情報の送受信を行う図示しない通信部を備える。
【０１２７】
電力管理装置１０１における当該通信部は、たとえば、表示装置１５１から送信されたイベント情報を受信し、受信したイベント情報を記憶部１４に保存する。また、当該通信部は、記憶部１４に保存されたイベント情報を読み出し、読み出したイベント情報を表示装置１５１へ送信する。
【０１２８】
そして、表示装置１５１における取得部１１は、電力管理装置１０１における通信部から送信されたイベント情報を受信すると、当該イベント情報を表示処理部１２へ出力する。表示処理部１２は、取得部１１から受けたイベント情報に基づいて、イベントに関する内容を表示部２１に表示する。
【０１２９】
ところで、電力消費等の調整に関する内容を端末装置等の画面に表示することにより、管理者等において調整の内容を視覚的に把握することが考えられ、より利便性の高い表示を行う技術が望まれる。
【０１３０】
これに対して、本発明の第１の実施の形態に係る電力管理装置１０１では、取得部１１は、電力消費量または発電量に関するイベントの依頼内容を示すイベント情報を取得する。また、表示処理部１２は、取得部１１により取得されたイベント情報に基づいて、イベントを示す図形であって画面における当該図形の位置が当該イベントの時期を示し、かつ当該図形の長さが当該イベントの期間の長さを示す図形をイベントの依頼先ごとに画面に表示可能である。また、表示処理部１２は、イベントに関する内容を付加情報として対応の図形に付加して表示可能である。また、取得部１１は、画面に対する操作内容を示す操作情報をさらに取得する。また、表示処理部１２は、取得部１１によって所定内容の操作を示す操作情報が取得された場合、画面における期間の表示範囲および付加情報を変更する。
【０１３１】
このような構成により、画面に表示された図形を確認することで、イベントの時期、イベントの期間の長さ、およびイベントの依頼先を視覚的に把握することができる。また、画面に表示された付加情報を確認することで、たとえばイベントに関するより詳細な内容を視覚的に把握することができる。
【０１３２】
また、画面に対する所定内容の操作を行うことで、たとえば、所望の期間におけるイベントの詳細な内容を確認することができる。したがって、視認性を向上させるなど、電力消費量または発電量に関するイベントについて、より利便性の高い表示を行うことができる。
【０１３３】
また、本発明の第１の実施の形態に係る電力管理装置１０１では、表示処理部１２は、表示範囲の大きさに応じて付加情報の内容を変更する。
【０１３４】
このような構成により、表示範囲の大きさに適した内容の付加情報を提示することができる。
【０１３５】
また、本発明の第１の実施の形態に係る電力管理装置１０１では、表示処理部１２は、表示範囲が小さいほど詳細な内容の付加情報を表示する。
【０１３６】
このような構成により、たとえば、表示する期間の範囲を大きくして複数のイベントの概要を把握したり、表示する期間の範囲を小さくして特定のイベントの詳細を把握したりすることができる。
【０１３７】
また、本発明の第１の実施の形態に係る電力管理装置１０１では、表示処理部１２は、変更後の付加情報として、イベントにおける複数の期間と各期間に関する情報とを表示する。
【０１３８】
このような構成により、イベントに含まれる期間ごとの付加情報を把握することができる。
【０１３９】
また、本発明の第１の実施の形態に係る電力管理装置１０１では、表示処理部１２は、イベントにおける各期間に関する情報として、各期間における依頼量を表示する。
【０１４０】
このような構成により、たとえば、細かく分けられた期間ごとの依頼量を把握することができる。
【０１４１】
次に、本発明の他の実施の形態について図面を用いて説明する。なお、図中同一または相当部分には同一符号を付してその説明は繰り返さない。
【０１４２】
＜第２の実施の形態＞
本発明の第２の実施の形態では、電力管理装置１０１は、図形に対する操作が行われた場合、操作内容に基づいて図形の表示およびイベントの依頼内容を変更する。
【０１４３】
［構成および基本動作］
再び図１を参照して、取得部１１は、たとえばイベントを示す図形が表示部２１に表示されている状態において、当該図形に対する操作が行われると、当該操作の内容を示す操作情報を表示装置１５１から受信する。
【０１４４】
そして、取得部１１は、受信した操作情報を、記憶部１４に保存する。
【０１４５】
表示処理部１２は、たとえば、記憶部１４に保存されている情報を定期的に確認し、記憶部１４に新たな操作情報が保存されたことを確認すると、記憶部１４から当該操作情報を読み出す。そして、表示処理部１２は、読み出した操作情報の示す操作内容に応じて、画面における図形の表示を変更する。
【０１４６】
情報処理部１３は、たとえば、記憶部１４に保存されている情報を定期的に確認し、記憶部１４に新たな操作情報が保存されたことを確認すると、記憶部１４から当該操作情報を読み出す。そして、情報処理部１３は、読み出した操作情報に基づいて、記憶部１４に保存されているイベント情報の示す依頼内容を変更する。
【０１４７】
（具体例１）
図６は、本発明の第２の実施の形態に係る電力管理装置における表示処理部により表示される画面の例１Ａを示す図である。
【０１４８】
図６を参照して、依頼先が「Ａ電工」であり、イベント期間が２０１６年２月２日であるイベントＥｖ２１、依頼先が「Ｄ電機」であり、イベント期間が２０１６年２月２日であるイベントＥｖ２２、および、依頼先が「Ｇ大学」であり、イベント期間が２０１６年２月２日であるイベントＥｖ２３の依頼内容を、管理者が表示装置１５１における処理部２２へ入力したとする。
【０１４９】
処理部２２は、当該依頼内容を示すイベント情報を電力管理装置１０１へ送信する。
【０１５０】
電力管理装置１０１における表示処理部１２は、当該イベント情報を取得部１１および記憶部１４経由で受信すると、たとえば、２０１６年２月２日から２０１６年２月４までの期間のタイムスケジュール表を表示部２１に表示する。
【０１５１】
また、表示処理部１２は、たとえば、タイムスケジュール表の対応する位置に、各イベントを示すイベントバーＥｖｂ２１、イベントバーＥｖｂ２２およびイベントバーＥｖｂ２３を表示する。
【０１５２】
また、表示処理部１２は、イベント情報の示す各イベントにおける調整レベルがいずれも「レベル３」である場合、たとえばイベントバーＥｖｂ２１，Ｅｖｂ２２，Ｅｖｂ２３の内部に、調整レベルが「レベル３」であることを示す「Ｌｖ３」を付加情報として表示部２１に表示する。
【０１５３】
このような状態において、たとえば管理者が図形に対する操作を行うと、表示処理部１２は、当該操作の内容を示す操作情報に基づいて画面における図形の表示を変更する。
【０１５４】
図７は、本発明の第２の実施の形態に係る電力管理装置における表示処理部により表示される画面の例１Ｂを示す図である。
【０１５５】
図６および図７を参照して、管理者が図６に示す画面におけるイベントバーＥｖｂ２１を左右に伸ばして、イベントバーＥｖｂ２１の長さを元の長さの２倍に変更する操作を行ったとする。
【０１５６】
表示装置１５１における処理部２２は、管理者による操作の内容を示す操作情報を電力管理装置１０１へ送信する。
【０１５７】
電力管理装置１０１における取得部１１は、表示装置１５１から送信された操作情報を受信し、受信した操作情報を記憶部１４に保存する。
【０１５８】
表示処理部１２は、取得部１１および記憶部１４経由で操作情報を取得すると、当該操作情報に応じて、図７に示すように、たとえば、イベントバーＥｖｂ２１の長さを元の２倍に変更して表示する。
【０１５９】
情報処理部１３は、取得部１１および記憶部１４経由で操作情報を取得すると、当該操作情報に応じて、たとえば、記憶部１４に保存されているイベント情報の示す依頼内容を変更することにより、イベントバーＥｖｂ２１の示すイベントのイベント期間を元の長さの２倍に変更する。
【０１６０】
なお、管理者は、画面におけるイベントバーの長さを変更する代わりに、たとえば、画面上で１分、５分または３０分の刻み幅でイベントの開始時刻および終了時刻を設定することによりイベント期間を変更してもよい。
【０１６１】
具体的には、表示装置１５１における処理部２２は、たとえば、管理者により設定されたイベントの開始時刻および終了時刻を示す時刻情報を操作情報として電力管理装置１０１へ送信する。そして、電力管理装置１０１における取得部１１は、表示装置１５１から送信された時刻情報を受信し、受信した時刻情報を記憶部１４に保存する。
【０１６２】
表示処理部１２は、たとえば、イベントの開始時刻および終了時刻を示す新たな時刻情報が記憶部１４に保存されたことを確認すると、記憶部１４から当該時刻情報を読み出す。そして、表示処理部１２は、読み出した時刻情報に基づいて、たとえば、イベントバーの長さを元の長さから変更して表示する。
【０１６３】
情報処理部１３は、たとえば、イベントの開始時刻および終了時刻を示す新たな時刻情報が記憶部１４に保存されたことを確認すると、記憶部１４から当該時刻情報を読み出す。そして、情報処理部１３は、読み出した時刻情報に基づいて、たとえば、記憶部１４に保存されているイベント情報の示すイベントの開始時刻および終了時刻を変更する。
【０１６４】
また、管理者が画面に対する操作を行った場合、たとえば、イベントの依頼内容を変更することを管理者に確認するための確認ボタンが表示部２１に表示される構成であってもよい。
【０１６５】
具体的には、表示処理部１２は、取得部１１および記憶部１４経由で表示装置１５１から操作情報を受信すると、確認ボタンを表示部２１に表示する。そして、管理者が、表示された確認ボタンを選択すると、表示装置１５１における処理部２２は、確認ボタンが選択されたことを示す確認情報を電力管理装置１０１へ送信する。
【０１６６】
表示処理部１２は、取得部１１および記憶部１４経由で表示装置１５１から確認情報を受信すると、既に受信した操作情報に応じて、画面における図形を変更する。
【０１６７】
情報処理部１３は、取得部１１および記憶部１４経由で表示装置１５１から確認情報を受信すると、既に受信した操作情報の示す操作の内容に応じてイベントの依頼内容を変更する。
【０１６８】
また、表示部２１に複数のイベントバーが表示されている場合、管理者は、複数のイベントバーにそれぞれ対応するイベントの依頼内容をまとめて変更することができる。
【０１６９】
具体的には、管理者が、複数のイベントバーを選択し、これら複数のイベントバーに対応する各イベントの開始時刻をまとめて設定すると、表示装置１５１における処理部２２は、たとえば、選択された各イベントバーおよび設定された各イベントの開始時刻を示す情報を操作情報として電力管理装置１０１へ送信する。
【０１７０】
表示処理部１２は、取得部１１および記憶部１４経由で表示装置１５１から操作情報を受信すると、受信した操作情報に応じて、たとえば、画面における上記複数のイベントバーの長さを変更して表示する。
【０１７１】
情報処理部１３は、取得部１１および記憶部１４経由で表示装置１５１から操作情報を受信すると、受信した操作情報に応じて、たとえば、記憶部１４に保存されているイベント情報の示す依頼内容を変更することにより、上記複数のイベントバーにそれぞれ対応するイベントの開始時刻を変更する。
【０１７２】
（具体例２）
図８は、本発明の第２の実施の形態に係る電力管理装置における表示処理部により表示される画面の例２を示す図である。
【０１７３】
図６および図８を参照して、管理者が図６に示す画面におけるイベントバーＥｖｂ２２の位置を「２月２日」の列から「２月３日」の列へ変更する操作を行ったとする。
【０１７４】
この場合、表示処理部１２は、取得部１１および記憶部１４経由で表示装置１５１から受信した操作情報に応じて、図８に示すように、たとえば、イベントバーＥｖｂ２２の位置を「２月２日」の列から「２月３日」の列に変更して表示する。
【０１７５】
情報処理部１３は、取得部１１および記憶部１４経由で表示装置１５１から受信した操作情報に応じて、たとえば、記憶部１４に保存されているイベント情報の示す依頼内容を変更することにより、イベントバーＥｖｂ２２の示すイベントのイベント期間を「２月３日」に変更する。
【０１７６】
（具体例３）
図９は、本発明の第２の実施の形態に係る電力管理装置における表示処理部により表示される画面の例３を示す図である。
【０１７７】
図６および図９を参照して、管理者が図６に示す画面におけるイベントバーＥｖｂ２３に対応する調整レベルを「レベル３」から「レベル２」へ変更する操作を行ったとする。
【０１７８】
この場合、表示処理部１２は、取得部１１および記憶部１４経由で表示装置１５１から受信した操作情報に応じて、図９に示すように、たとえば、イベントバーＥｖｂ２３の内部に表示した「Ｌｖ３」を、調整レベルが「レベル２」であることを示す「Ｌｖ２」に変更して表示する。
【０１７９】
情報処理部１３は、取得部１１および記憶部１４経由で表示装置１５１から受信した操作情報に応じて、たとえば、記憶部１４に保存されているイベント情報の示す依頼内容を変更することにより、イベントバーＥｖｂ２３の示すイベントにおける依頼量である調整レベルを「レベル２」に変更する。
【０１８０】
［動作］
次に、本発明の第２の実施の形態に係る電力管理装置１０１の動作について説明する。
【０１８１】
図１０は、本発明の第２の実施の形態に係る電力管理装置による動作手順を定めたフローチャートである。
【０１８２】
図１０を参照して、まず、電力管理装置１０１は、たとえば表示装置１５１からイベント情報を受信する（ステップＳ２１）。
【０１８３】
次に、電力管理装置１０１は、たとえば、受信したイベント情報に基づいて、イベントのタイムスケジュール表を表示部２１に表示し、さらに、イベントを示す図形およびイベントに関する付加情報をタイムスケジュール表とともに表示部２１に表示する（ステップＳ２２）。
【０１８４】
次に、電力管理装置１０１は、画面に表示した図形に対する操作を示す操作情報を受信すると（ステップＳ２３）、受信した操作情報の示す操作内容に基づいて、画面における図形の表示を変更する（ステップＳ２４）。なお、電力管理装置１０１は、図形の表示の変更として図形に付加した付加情報を変更してもよい。
【０１８５】
次に、電力管理装置１０１は、取得した操作情報の示す操作内容に応じて、自己の記憶するイベント情報の示す依頼内容を変更する（ステップＳ２５）。
【０１８６】
なお、電力管理装置１０１は、図形に対する操作を示す操作情報を新たに受信した場合（ステップＳ２３）、新たに受信した操作情報の示す操作内容に応じて画面における図形をさらに変更し（ステップＳ２４）、新たに受信した操作情報の示す操作内容に応じてイベントの依頼内容をさらに変更する（ステップＳ２５）。
【０１８７】
上記のように、本発明の第２の実施の形態に係る電力管理装置１０１では、取得部１１は、電力消費量または発電量に関するイベントの依頼内容を示すイベント情報を取得する。また、表示処理部１２は、取得部１１により取得されたイベント情報に基づいて、イベントを示す図形であって画面における当該図形の位置が当該イベントの時期を示し、かつ当該図形の長さが当該イベントの期間の長さを示す図形をイベントの依頼先ごとに画面に表示可能である。また、取得部１１は、図形に対する操作内容を示す操作情報をさらに取得する。また、表示処理部１２は、取得部１１により取得された操作情報の示す操作内容に応じて図形の表示を変更する。また、情報処理部１３は、取得部１１により取得された操作情報の示す操作内容に応じてイベントの依頼内容を変更する。また、送信部１５は、情報処理部１３により変更されたイベントの依頼内容を対応の依頼先に通知する。
【０１８８】
このような構成により、画面に表示された図形を確認することで、イベントの時期、イベントの期間の長さ、およびイベントの依頼先を視覚的に把握することができる。また、画面に表示された付加情報を確認することで、たとえばイベントに関するより詳細な内容を視覚的に把握することができる。
【０１８９】
また、図形に対する操作を行うことで、イベントの依頼内容を変更することができるため、操作性の向上を図ることができる。また、変更後のイベントの依頼内容に応じた図形が表示されるため、変更後の依頼内容を視覚的に把握することができる。したがって、視認性および操作性を向上させるなど、電力消費量または発電量に関するイベントについて、より利便性の高い表示を行うことができる。
【０１９０】
また、本発明の第２の実施の形態に係る電力管理装置１０１では、情報処理部１３は、操作内容に応じてイベントの期間を変更する。
【０１９１】
このような構成により、図形に対する操作を行うことでイベント期間を容易に変更することができる。
【０１９２】
また、本発明の第２の実施の形態に係る電力管理装置１０１では、情報処理部１３は、取得部１１により取得された操作情報が図形の位置および長さの少なくともいずれか一方を変更する操作を示す場合、対応のイベントの期間を変更する。
【０１９３】
このような構成により、簡易かつ直感的な操作によりイベント期間を変更することができる。
【０１９４】
また、本発明の第２の実施の形態に係る電力管理装置１０１では、情報処理部１３は、操作内容に応じてイベントの依頼量を変更する。
【０１９５】
このような構成により、図形に対する操作を行うことでイベントの依頼量を容易に変更することができる。
【０１９６】
その他の構成および動作は第１の実施の形態に係る電力管理システム２０１と同様であるため、ここでは詳細な説明を繰り返さない。
【０１９７】
次に、本発明の他の実施の形態について図面を用いて説明する。なお、図中同一または相当部分には同一符号を付してその説明は繰り返さない。
【０１９８】
＜第３の実施の形態＞
本発明の第３の実施の形態では、電力管理装置１０１は、イベントの複数種類の属性の中から選択された属性に応じて、イベントを示す図形の表示態様を変更する。
【０１９９】
［構成および基本動作］
再び図１を参照して、表示処理部１２は、イベント情報を取得部１１および記憶部１４経由で受信すると、たとえば、イベントの複数種類の属性および各属性に対応するチェックボックスを表示部２１に表示する。
【０２００】
属性は、たとえば、「イベント名」、「依頼先」、「参加可否」、「時刻」、「期間」、「依頼量」、「依頼量の種類」、「依頼先の属するグループ」、「取引の種類」、「優先度」、および「修正」である。
【０２０１】
表示装置１５１における処理部２２は、たとえば、表示処理部１２により表示された複数の属性のうちのいずれか１つの選択を受け付ける。そして、たとえば管理者が表示装置１５１を操作して複数の属性のうちの１つを選択した場合、処理部２２は、選択結果を電力管理装置１０１へ送信する。
【０２０２】
電力管理装置１０１における取得部１１は、表示装置１５１から送信された選択結果を受信し、受信した選択結果を記憶部１４に保存する。
【０２０３】
表示処理部１２は、記憶部１４に新たな選択結果が保存されたことを確認すると、記憶部１４から当該選択結果を読み出し、読み出した選択結果に基づいて、管理者により選択された属性を特定し、特定した属性に対応するチェックボックスにチェックを入れて表示する。
【０２０４】
また、表示処理部１２は、記憶部１４から読み出したイベント情報に基づいて、イベントを示す図形を表示する。また、表示処理部１２は、管理者により選択された属性の内容である付加情報を、当該図形に付加して表示する。
【０２０５】
このとき、表示処理部１２は、選択された属性についてのイベントの内容に応じて、対応の図形の表示態様を変更する。たとえば、管理者により選択された属性が「依頼量」である場合、表示処理部１２は、イベントの依頼量に応じて、異なる表示態様で図形を表示する。
【０２０６】
また、たとえば管理者が表示装置１５１を操作して、画面においてチェックボックスにチェックされた属性と異なる属性を選択した場合、表示装置１５１における処理部２２は、選択結果を電力管理装置１０１へ送信する。
【０２０７】
そして、電力管理装置１０１における取得部１１は、表示装置１５１から送信された選択結果を受信し、受信した選択結果を記憶部１４に保存する。
【０２０８】
表示処理部１２は、記憶部１４に新たな選択結果が保存されたことを確認すると、記憶部１４から当該選択結果を読み出し、読み出した選択結果に基づいて、管理者により新たに選択された属性を特定する。そして、表示処理部１２は、たとえば、チェックを入れていたチェックボックスからチェックを外し、新たに選択された属性のチェックボックスにチェックを入れて表示する。
【０２０９】
また、表示処理部１２は、新たに選択された属性の内容である付加情報を、対応の図形に付加して表示する。また、このとき、表示処理部１２は、選択された属性についてのイベントの内容に応じて、当該図形の表示態様を変更する。
【０２１０】
（具体例１）
図１１は、本発明の第３の実施の形態に係る電力管理装置における表示処理部により表示される画面の例１を示す図である。
【０２１１】
図１１を参照して、依頼先が「Ａ電工」であり、イベント期間が２０１６年２月２日であるイベントＥｖ３１、依頼先が「Ｃ電機」であり、イベント期間が２０１６年２月２日であるイベントＥｖ３２、および、依頼先が「Ｅ産業」であり、イベント期間が２０１６年２月２日であるイベントＥｖ３３の依頼内容を、管理者が表示装置１５１における処理部２２へ入力したとする。
【０２１２】
また、依頼先が「Ｇ大学」であり、イベント期間が２月３日であるイベントＥｖ３４、依頼先が「Ｅ産業」であり、イベント期間が２月４日であるイベントＥｖ３５、および、依頼先が「Ｇ大学」であり、イベント期間が２月４日であるイベントＥｖ３６の依頼内容を、管理者が表示装置１５１における処理部２２へ入力したとする。
【０２１３】
処理部２２は、当該依頼内容を示すイベント情報を電力管理装置１０１へ送信する。
【０２１４】
電力管理装置１０１における表示処理部１２は、当該イベント情報を取得部１１および記憶部１４経由で受けると、たとえば、２０１６年２月２日から２０１６年２月４までの期間のタイムスケジュール表を表示部２１に表示する。
【０２１５】
また、表示処理部１２は、たとえば、イベントの複数種類の属性、および各属性に対応するチェックボックスを表示部２１に表示する。
【０２１６】
このような状態において、管理者が表示装置１５１を操作して、表示部２１に表示した属性の中の１つである「依頼量」を選択する操作を行ったとする。
【０２１７】
この場合、表示処理部１２は、たとえば、「依頼量」に対応するチェックボックスにチェックを入れて表示する。また、表示処理部１２は、タイムスケジュール表の対応する位置に各イベントを示すイベントバーＥｖｂ３１，Ｅｖｂ３２，Ｅｖｂ３３，Ｅｖｂ３４，Ｅｖｂ３５，Ｅｖｂ３６を表示するとともに、および各イベントバーに対応する依頼量を各イベントバーに付加して表示する。
【０２１８】
ここで、依頼量は、イベント期間において抑制すべき電力消費量、発電量または蓄電量であり、「Ｌｖ２」などの調整レベル、「０.６」などの比率、または「３００ｋＷ」などの絶対量で示される。
【０２１９】
たとえば、表示処理部１２は、図１１に示すように、イベントバーＥｖｂ３１〜Ｅｖｂ３６の内部に調整レベルを表示する。
【０２２０】
また、表示処理部１２は、イベントの依頼量に応じて、異なる表示態様でイベントバーを表示する。
【０２２１】
具体的には、表示処理部１２は、たとえば、調整レベルが「レベル３」であるイベントに対応するイベントバーＥｖｂ３１，Ｅｖｂ３２，Ｅｖｂ３３を、斜め線のハッチングを施して表示する。また、表示処理部１２は、たとえば、調整レベルが「レベル２」であるイベントに対応するイベントバーＥｖｂ３４，Ｅｖｂ３５を、縦線のハッチングを施して表示する。また、表示処理部１２は、たとえば、調整レベルが「レベル１」であるイベントに対応するイベントバーＥｖｂ３６を、横線のハッチングを施して表示する。
【０２２２】
なお、表示処理部１２は、依頼量に応じて各イベントバーに異なる種類のハッチングを施す代わりに、たとえば、依頼量に応じて各イベントバーを異なる色で表示してもよい。
【０２２３】
具体的には、表示処理部１２は、イベントバーＥｖｂ３１，Ｅｖｂ３２，Ｅｖｂ３３を黄色で表示し、イベントバーＥｖｂ３４，Ｅｖｂ３５を青色で表示し、イベントバーＥｖｂ３６を赤色で表示する。
【０２２４】
また、表示処理部１２は、依頼量に応じて、たとえば、付加情報を示す文字の色、イベントバーの線の太さ、またはイベントバーの形状の種類を変えて表示してもよい。また、表示処理部１２は、依頼量に応じて、たとえば、イベントバーを点滅させるなどの表示を行ってもよい。
【０２２５】
（具体例２）
図１２は、本発明の第３の実施の形態に係る電力管理装置における表示処理部により表示される画面の例２を示す図である。
【０２２６】
図１１および図１２を参照して、図１１に示す画面が表示されている状態において、たとえば管理者が表示装置１５１を操作して、画面における属性の中の１つである「時刻」を選択する操作を行ったとする。
【０２２７】
この場合、表示処理部１２は、たとえば、「依頼量」に対応するチェックボックスからチェックを外し、「時刻」に対応するチェックボックスにチェックを入れて表示する。また、表示処理部１２は、たとえば、イベントバーＥｖｂ３１〜Ｅｖｂ３６の内部の表示を、それぞれ対応するイベントの開始時刻に変更する。
【０２２８】
また、表示処理部１２は、たとえば、イベントの開始時刻に応じてイベントバーを異なる表示態様で表示する。具体的には、表示処理部１２は、開始時刻が午前であるイベントに対応するイベントバーＥｖｂ３１，Ｅｖｂ３３，Ｅｖ３４，Ｅｖｂ３５を、斜め線のハッチングを施して表示し、開始時刻が午後であるイベントに対応するイベントバーＥｖｂ３２，Ｅｖｂ３６を、縦線のハッチングを施して表示する。
【０２２９】
なお、上記のように「時刻」が選択された場合、表示処理部１２は、イベントの開始時刻の代わりに、イベントの通知日時を表示部２１に表示してもよい。
【０２３０】
また、「イベント名」が選択された場合、表示処理部１２は、たとえば、イベントの名称またはイベントの識別情報をイベントバーに付加して表示する。また、「依頼先」が選択された場合、表示処理部１２は、たとえば、依頼先の識別情報、依頼先の名称または依頼先の存在するエリアをイベントバーに付加して表示する。
【０２３１】
また、「参加可否」が選択された場合、表示処理部１２は、たとえば、イベントへの参加または不参加をイベントバーに付加して表示する。また、「期間」が選択された場合、表示処理部１２は、たとえば、イベント期間の長さをイベントバーに付加して表示する。
【０２３２】
また、「依頼量の種類」が選択された場合、表示処理部１２は、たとえば、依頼先へ通知される依頼量が調整レベル、比率または絶対値のいずれであるかを示す情報をイベントバーに付加して表示する。
【０２３３】
また、「依頼先の属するグループ」が選択された場合、表示処理部１２は、たとえば、エリアごとに設定された複数のグループのうち、イベントの依頼先の属するグループを、イベントバーに付加して表示する。また、「取引の種類」が選択された場合、表示処理部１２は、たとえば、イベントに関する電力の売買が行われたタイミングをイベントバーに付加して表示する。
【０２３４】
また、「優先度」が選択された場合、表示処理部１２は、たとえば、イベントの優先度を示す情報をイベントバーに付加して表示する。また、「修正」が選択された場合、表示処理部１２は、イベントの依頼内容が修正された回数、修正された内容、または修正された理由をイベントバーに付加して表示する。
【０２３５】
［動作］
次に、本発明の第３の実施の形態に係る電力管理装置１０１の動作について説明する。
【０２３６】
図１３は、本発明の第３の実施の形態に係る電力管理装置による動作手順を定めたフローチャートである。
【０２３７】
図１３を参照して、まず、電力管理装置１０１は、たとえば表示装置１５１からイベント情報を受信する（ステップＳ３１）。
【０２３８】
次に、電力管理装置１０１は、たとえば、イベントの複数種類の属性および各属性に対応するチェックボックスを表示部２１に表示する（ステップＳ３２）。
【０２３９】
次に、電力管理装置１０１は、管理者による属性の選択結果を受信すると（ステップＳ３３）、たとえば、受信した選択結果の示す属性に対応するチェックボックスにチェックを入れて表示部２１に表示する（ステップＳ３４）。
【０２４０】
次に、電力管理装置１０１は、受信したイベント情報に基づいて、たとえば、イベントのタイムスケジュール表を表示部２１に表示し、さらに、イベントを示す図形、および管理者により選択された属性の内容である付加情報をタイムスケジュール表とともに表示部２１に表示する。このとき、表示処理部１２は、当該属性の内容に応じて図形の表示態様を変えて表示する（ステップＳ３５）。
【０２４１】
なお、電力管理装置１０１は、属性の選択結果を新たに受信した場合（ステップＳ３３）、新たに受信した選択結果に基づいてチェックボックスのチェックを変更し（ステップＳ３４）、新たに受信した選択結果に基づいて図形および属性の内容をさらに変更する（ステップＳ３５）。
【０２４２】
上記のように、本発明の第３の実施の形態に係る電力管理装置１０１では、取得部１１は、電力消費量または発電量に関するイベントの依頼内容を示すイベント情報を取得する。また、表示処理部１２は、取得部１１により取得されたイベント情報に基づいて、イベントを示す図形であって画面における当該図形の位置が当該イベントの時期を示し、かつ当該図形の長さが当該イベントの期間の長さを示す図形をイベントの依頼先ごとに画面に表示可能である。また、表示処理部１２は、画面においてイベントの依頼先を複数並べて表示可能である。また、表示処理部１２は、イベントの複数種類の属性の中から選択された属性についてのイベントの内容に応じて、対応の図形の表示態様を変更する。
【０２４３】
このような構成により、画面に表示された図形を確認することで、イベントの時期、イベントの期間の長さ、およびイベントの依頼先を視覚的に把握することができる。また、画面に表示された付加情報を確認することで、たとえばイベントに関するより詳細な内容を視覚的に把握することができる。
【０２４４】
また、複数の図形を所望の種類の属性の内容に応じて分類することができるため、たとえば、これらの図形にそれぞれ対応するイベントの当該属性の内容が互いに異なる内容であることを容易に把握することができる。したがって、視認性を向上させるなど、電力消費量または発電量に関するイベントについて、より利便性の高い表示を行うことができる。
【０２４５】
また、本発明の第３の実施の形態に係る電力管理装置１０１では、属性は、イベントに対応する、依頼量、依頼量の種類、依頼先の属するグループ、または取引の種類である。
【０２４６】
このような構成により、図形の表示態様を確認することで、イベントごとの依頼量、依頼量の種類、依頼先の属するグループ、または取引の種類を把握することができる。
【０２４７】
その他の構成および動作は第１の実施の形態または第２の実施の形態に係る電力管理システム２０１と同様であるため、ここでは詳細な説明を繰り返さない。
【０２４８】
＜変形例＞
電力管理装置１０１は、他の上位制御サーバに入力されたイベントの依頼内容を示すイベント情報を、当該上位制御サーバから受信する構成であってもよい。
【０２４９】
図１４は、本発明の第１〜第３の実施の形態に係る電力管理システムの変形例の構成を示す図である。
【０２５０】
図１４を参照して、電力管理システム２０１は、電力管理装置１０１と、施設側装置１０２と、表示装置１５１とに加えて、さらに、上位制御サーバ１０４を備える。
【０２５１】
上位制御サーバ１０４は、電力系統側である電力会社または系統運用会社等の一般電気事業者によって運用される。たとえば、一般電気事業者の管理者は、電力系統における電力需給の状況に応じてイベントの依頼内容を上位制御サーバ１０４に入力する。
【０２５２】
上位制御サーバ１０４は、たとえば、管理者により入力されたイベントの依頼内容を示すイベント情報を通信網１０５経由で電力管理装置１０１へ送信する。
【０２５３】
電力管理装置１０１は、取得部１１、表示処理部１２、情報処理部１３、記憶部１４、送信部１５および受信部１６に加えて、さらに、通信部１７を備える。
【０２５４】
電力管理装置１０１における通信部１７は、上位制御サーバ１０４から送信されたイベント情報を受信し、受信したイベント情報を記憶部１４に保存する。また、通信部１７は、上位制御サーバ１０４からイベント情報を受信すると、イベント情報に対する応答情報を通信網１０５経由で上位制御サーバ１０４へ送信する。
【０２５５】
表示処理部１２は、たとえば、記憶部１４に保存されているイベント情報を定期的に確認し、記憶部１４に新たなイベント情報が保存された場合、新たなイベント情報に基づいて、イベントを示す図形および付加情報を表示部２１に表示する。
【０２５６】
その他の構成および動作は第１の実施の形態、第２の実施の形態または第３の実施の形態に係る電力管理システム２０１と同様であるため、ここでは詳細な説明を繰り返さない。
【０２５７】
なお、本発明の第１〜第３の実施の形態および変形例に係る電力管理装置１０１の機能の一部または全部が、クラウドコンピューティングによって提供されてもよい。すなわち、本発明の第１〜第３の実施の形態および変形例に係る電力管理装置１０１が、複数のクラウドサーバ等によって構成されてもよい。
【０２５８】
また、本発明の第１の実施の形態〜第３の実施の形態および各変形例に係る各装置の構成要素および動作のうち、一部または全部を適宜組み合わせることも可能である。
【０２５９】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２６０】
以上の説明は、以下に付記する特徴を含む。
【０２６１】
［付記１］
電力消費量または発電量に関するイベントの依頼内容を示すイベント情報を取得する取得部と、
前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部とを備え、
前記表示処理部は、前記イベントに関する内容を付加情報として対応の前記図形に付加して表示可能であり、
前記取得部は、前記画面に対する操作内容を示す操作情報をさらに取得し、
前記表示処理部は、前記取得部によって所定内容の操作を示す前記操作情報が取得された場合、前記画面における期間の表示範囲および前記付加情報を変更し、
前記表示処理部は、前記イベントのタイムスケジュール表を表示し、前記タイムスケジュール表の対応する位置に前記図形としてイベントバーを表示し、前記イベントバーの内部に前記付加情報を表示し、
前記所定内容の操作は、前記表示処理部により表示された前記イベントバーを選択する操作である、表示処理装置。
【０２６２】
［付記２］
電力消費量または発電量に関するイベントの依頼内容を示すイベント情報を取得する取得部と、
前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部とを備え、
前記取得部は、前記図形に対する操作内容を示す操作情報をさらに取得し、
前記表示処理部は、前記取得部により取得された前記操作情報の示す前記操作内容に応じて前記図形の表示を変更し、
前記表示処理装置は、さらに、
前記取得部により取得された前記操作情報の示す前記操作内容に応じて前記イベントの依頼内容を変更する設定部と、
前記設定部により変更された前記イベントの依頼内容を対応の依頼先に通知する通知部とを備え、
前記表示処理部は、前記イベントのタイムスケジュール表を表示し、前記タイムスケジュール表の対応する位置に前記図形としてイベントバーを表示し、
前記設定部は、前記イベントの期間、前記イベントの依頼量、または前記イベントの開始時刻を変更する、表示処理装置。
【０２６３】
［付記３］
電力消費量または発電量に関するイベントの依頼内容を示すイベント情報を取得する取得部と、
前記取得部により取得された前記イベント情報に基づいて、前記イベントを示す図形であって画面における前記図形の位置が前記イベントの時期を示し、かつ前記図形の長さが前記イベントの期間の長さを示す図形を前記イベントの依頼先ごとに画面に表示可能な表示処理部とを備え、
前記表示処理部は、前記画面において前記イベントの依頼先を複数並べて表示可能であり、
前記表示処理部は、前記イベントの複数種類の属性の中から選択された前記属性についての前記イベントの内容に応じて対応の前記図形の表示態様を変更し、
前記表示処理部は、前記イベントのタイムスケジュール表を表示し、前記タイムスケジュール表の対応する位置に前記図形としてイベントバーを表示し、複数種類の前記属性および各前記属性に対応するチェックボックスを表示し、選択された前記属性に対応する前記チェックボックスにチェックを入れて表示し、
前記表示処理部は、さらに、選択された前記属性についての前記イベントの内容に応じて、対応の前記イベントバーに施すハッチング、前記イベントバーの色、前記イベントバーに付加する付加情報の文字の色、前記イベントバーの線の太さ、前記イベントバーの形状の種類、および前記イベントバーの点滅の有無の少なくともいずれか１つを変更する、表示処理装置。
【符号の説明】
【０２６４】
１１  取得部
１２  表示処理部
１３  情報処理部（設定部）
１４  記憶部
１５  送信部（通知部）
１６  受信部
１７  通信部
２１  表示部
２２  処理部
１０１  電力管理装置（表示処理装置）
１０２  施設側装置
１０３，１０５  通信網
１０４  上位制御サーバ
１５１  表示装置
【図１】
2018057254.tif 000003
【図２】
2018057254.tif 000004
【図３】
2018057254.tif 000005
【図４】
2018057254.tif 000006
【図５】
2018057254.tif 000007
【図６】
2018057254.tif 000008
【図７】
2018057254.tif 000009
【図８】
2018057254.tif 000010
【図９】
2018057254.tif 000011
【図１０】
2018057254.tif 000012
【図１１】
2018057254.tif 000013
【図１２】
2018057254.tif 000014
【図１３】
2018057254.tif 000015
【図１４】
2018057254.tif 000016